(57)【要約】【課題】搬送ローラの製造時において、バリの除去やバリを除去した表面の平滑処理を軽減しても、印刷面が汚れることのなく記録用紙を搬送できる搬送ローラ、当該搬送ローラを備えた画像形成装置を提供すること。【解決手段】搬送ローラ４２は、記録用紙に接触する円筒状の弾性体よりなる接触部材４２１と、接触部材４２１の筒状部４２１ａの内部に挿入され、搬送ローラ４２を軸支する軸支棒（図示しない）に嵌合する軸支スリーブ４２２とを備える。接触部材４２１の筒状部４２１ａの内径は、軸支スリーブ４２２の軸方向接触部４２２ａの直径よりも小さく、軸支スリーブ４２２が接触部材４２１の筒状部４２１ａの内部に挿入されると、開放端部４２１ｂは、当該挿入により生じる反力により、接触部材４２１の筒状部４２１ａの内側に湾曲する。【選択図】図２
2009091145.tif 000002
【特許請求の範囲】
【請求項１】
記録用紙等のシートに接触する円筒状の弾性体よりなる接触部材と、当該接触部材の筒状部内に挿入され軸支棒に嵌合する軸支スリーブとを備え、
前記軸支スリーブの少なくとも前記接触部材の筒状部内壁面との接触部の形状が円形形状に形成され、
前記接触部材の筒部の内径は、前記軸支スリーブの前記接触部材の筒状部内壁面と接触する前記円形形状の直径よりも小さく、前記接触部材の筒状部の軸方向幅は、前記軸支スリーブの前記接触部材の筒状部内壁面と接触する軸方向幅よりも大きく、
前記軸支スリーブが前記接触部材の筒状部に挿入され、前記接触部材の筒状部の開放端部が当該接触部材の筒状部の内側に湾曲することを特徴とする搬送ローラ。
【請求項２】
前記湾曲する接触部材の開放端部の肉厚が、開放端部方向にしだいに薄く形成されていることを特徴とする請求項１に記載の搬送ローラ。
【請求項３】
前記軸支スリーブの軸方向における前記接触部材との接触面が略凸状であることを特徴とする請求項１又は２に記載の搬送ローラ。
【請求項４】
前記接触部材は、フッ素系樹脂からなることを特徴とする請求項１〜３のいずれか１に記載の搬送ローラ。
【請求項５】
前記接触部材は、ポリフェニレンスルファイド（ＰＰＳ）からなることを特徴とする請求項１〜４のいずれか１に記載の搬送ローラ。
【請求項６】
請求項１〜５のいずれか１に記載の搬送ローラを備えたことを特徴とする画像形成装置。
【発明の詳細な説明】
【技術分野】
【０００１】
本発明は、記録用紙を搬送する搬送ローラ、及び、当該搬送ローラを備えた画像形成装置に関する。
【背景技術】
【０００２】
画像形成装置において、記録用紙は、図６に示すように、駆動ローラ１００、及び、当該駆動ローラ１００に従動する、複数の搬送ローラ１０１により搬送される。また、搬送ローラ１０１は、当該搬送ローラ１０１中央に形成された貫通孔に嵌合する支持軸１０２により回転自在に支持される。
かかる搬送ローラの一例が特許文献１に開示されている。
【０００３】
前述の搬送ローラ１０１が樹脂製部材により作成されると、当該搬送ローラ１０１の成型時に、エッジ（端面）１０１ａに、金型の型合わせ面(パーティングライン)に沿ったバリができるため、当該バリを除去し、エッジ１０１ａの表面（凹凸面）を滑らかに形成しなければならない。
【０００４】
エッジ１０１ａからバリを完全に除去し、エッジ１０１ａの表面を滑らかに形成されていない搬送ローラを画像形成装置に実装すると、トナーが定着した記録用紙に前記バリ又は凹凸面が接触することにより、当該記録用紙の印刷面にキズが付き、当該印刷面が汚れる。なお、前記印刷面の裏面でも同様である。
【特許文献１】特開２０００−２９６９３６号公報
【発明の開示】
【発明が解決しようとする課題】
【０００５】
しかし、バリを完全に除去し、さらに、バリを除去した表面を滑らかに形成する作業は煩雑であるため、搬送ローラの製造工程が複雑になり、搬送ローラの製造時間及び製造費用が大きくなるという問題があった。
本発明は、かかる実情に鑑みてなされたものであり、搬送ローラの製造時において、バリの除去やバリを除去した表面の平滑処理を軽減しても、印刷面が汚れることのなく記録用紙を搬送できる搬送ローラ、当該搬送ローラを備えた画像形成装置を提供することを目的とする。
【課題を解決するための手段】
【０００６】
第１の技術手段は、記録用紙等のシートに接触する円筒状の弾性体よりなる接触部材と、当該接触部材の筒状部内に挿入され軸支棒に嵌合する軸支スリーブとを備え、前記軸支スリーブの少なくとも前記接触部材の筒状部内壁面との接触部の形状が円形形状に形成され、前記接触部材の筒部の内径は、前記軸支スリーブの前記接触部材の筒状部内壁面と接触する前記円形形状の直径よりも小さく、前記接触部材の筒状部の軸方向幅は、前記軸支スリーブの前記接触部材の筒状部内壁面と接触する軸方向幅よりも大きく、前記軸支スリーブが前記接触部材の筒状部に挿入され、前記接触部材の筒状部の開放端部が当該接触部材の筒状部の内側に湾曲することを特徴とする搬送ローラである。
【０００７】
第２の技術手段は、第１の技術手段において、前記湾曲する接触部材の開放端部の肉厚が、開放端部方向にしだいに薄く形成されていることを特徴とする。
【０００８】
第３の技術手段は、第１又は第２の技術手段において、前記軸支スリーブの軸方向における前記接触部材との接触面が略凸状であることを特徴とする。
【０００９】
第４の技術手段は、第１〜第３のいずれかの技術手段において、前記接触部材は、フッ素系樹脂からなることを特徴とする。
【００１０】
第５の技術手段は、第１〜第４のいずれかの技術手段において、前記接触部材は、ポリフェニレンスルファイド（ＰＰＳ）からなることを特徴とする。
【００１１】
第６の技術手段は、第１〜第５のいずれかの技術手段の搬送ローラを備えたことを特徴とする画像形成装置である。
【発明の効果】
【００１２】
本発明により、搬送ローラの製造時において、バリを除去し、表面を滑らかに形成する作業を軽減できるので、搬送ローラの製造工程を合理化でき、搬送ローラの製造時間及び製造費用を少なくすることができる。
【発明を実施するための最良の形態】
【００１３】
（画像形成装置）
図１は、本発明に係わる搬送ローラを備えた画像形成装置１を説明するための図である。
１０は、原稿を読み取り、原稿画像データを生成する原稿読み取り部（スキャナ部）である。
１０ａは、プラテンガラス１１上に原稿を供給するＡＤＦ（自動原稿供給装置）、１２は、プラテンガラス１１上に載置された原稿を移動しながら読み取るコピーランプユニット、１２ａは、前記原稿を読み取るための光を照射するコピーランプである。
【００１４】
コピーランプ１２ａにより前記原稿に照射された照射光は、原稿の画像情報を含む反射光（原稿からの反射光）となり、当該反射光は、コピーランプユニット１２に設けられた第１ミラー１３、第２ミラー１４、光学レンズ１５を経由し、ＣＣＤ１６へ入力され、当該ＣＣＤ１６により原稿画像データが生成される。生成された原稿画像データは、後述のＬＳＵユニットに出力される。
１７は、読み取られた原稿を排出する原稿排出部である。
【００１５】
２０は、後述の印刷部に記録用紙を給紙する給紙部、２１は、記録用紙を積載する給紙カセット、２２は、給紙カセット２１の記録用紙を前記印刷部に給紙する給紙ローラである。
【００１６】
３０は、原稿読み取り部１０が出力した原稿画像データに基づき、給紙部２０が給紙した記録用紙上に画像を形成する印刷部である。
３１は、レジストローラである。給紙ローラ２２が回転して記録用紙が印刷部３０に給紙されると、給紙された記録用紙はレジストローラ３１へ到達する。すると、レジストローラ３１は、感光体ドラム３２上に形成される画像の先端部（画像形成開始部）と同期をとるために、前記記録用紙の先端位置の補正を行う。
【００１７】
３３は、ＬＳＵ（Laser Scan Unit）で、ＣＣＤ１６により生成された原稿画像データに基づきレーザ光を出力する。出力したレーザ光が、図示しないポリゴンミラーや各種レンズを通して、感光体ドラム３２へ照射されると、感光体ドラム３２上に静電潜像が形成される。
【００１８】
３４は、感光体ドラム３２を所定帯電電位に帯電する帯電ユニットである。
３５は、トナーを蓄える現像槽、３５ａは、感光体ドラム３２にトナーを付着させるためのＭＧローラ（マグネットローラ）である。
ＭＧローラ３５ａ上のトナーにより、感光体ドラム３２に形成された静電潜像が、感光体ドラム３２の電位ギャップに応じて顕像化される。
【００１９】
３６は、転写ユニットで、レジストローラ３１により給紙された記録用紙に、感光体ドラム３２上のトナーを転写する。
なお、感光体ドラム３２上の残留したトナーはドラムユニットのクリーニングブレード３７ａによって掻き取られ、クリーナーユニット３７により回収される。
【００２０】
３８は、トナーを記録用紙に定着させる定着装置である。トナーの転写が終了した記録用紙が、定着ユニット３８に入ると、上ヒートローラ３８ａと下ヒートローラ３８ｂを通過する過程で、加熱処理及び加圧処理が施され、その結果、記録用紙上の未定着トナーが用紙に溶融・固着される。
【００２１】
４０は、搬送ユニットで、トナーが固着された記録用紙を搬送するための駆動ローラ４１、当該駆動ローラ４１に従動する複数の搬送ローラ４２から構成される。
駆動ローラ４１は、記録用紙の幅に対応した長さの丸棒からなり、両端が図示しない軸受けに支持され、図示しないモータによって反時計方向に回転駆動される。
搬送ローラ４２は、図示しない軸に支持され、トナーが固着された記録用紙を駆動ローラ４１に対して圧接付勢する。なお、搬送ローラ４２の詳細については詳述する。
【００２２】
トナーが固着された記録用紙は、排紙ローラ５１により排紙トレイ５２に排出される。
【００２３】
（搬送ローラ）
図２（Ａ）は、本発明に係わる搬送ローラ４２の断面図である。
搬送ローラ４２は、記録用紙等のシートに接触する円筒状の弾性体よりなる接触部材４２１と、接触部材４２１の筒状部４２１ａの内部に挿入され、搬送ローラ４２を軸支する軸支棒（図示しない）に嵌合する軸支スリーブ４２２とを備える。
【００２４】
後述のように、接触部材４２１の筒状部４２１ａの内径は、軸支スリーブ４２２の軸方向接触部４２２ａの直径よりも小さい。そのため、軸支スリーブ４２２が接触部材４２１の筒状部４２１ａの内部に挿入されると、開放端部４２１ｂは、当該挿入により生じる反力により、接触部材４２１の内側に湾曲する（図２（Ａ）の矢印Ｘ）。
【００２５】
図２（Ｂ）は、搬送ローラ４２の正面図、図２（Ｃ）は、搬送ローラ４２の側面図である。
【００２６】
図３（Ａ）は、接触部材４２１の断面図である。
４２１ｃは、筒状部４２１ａの内壁面で、当該内壁面４２１ｃに軸支スリーブ４２２の軸方向接触部４２２ａが接触する。
【００２７】
筒状部４２１ａの開放端部４２１ｂの肉厚は、４２１ｄに示すように、開放端部４２１ｂ方向（矢印Ｙ）にしだいに薄く形成され、傾斜面となっている。このように、開放端部４２１ｂの肉厚が薄く形成されているので、軸支スリーブ４２２が接触部材４２１に挿入されたときに、当該端部４２１ｂが筒状部の内側に湾曲しやすくなる。
４２１ｅは、筒状部４２１ａの底部で、当該底部には、後述の軸支スリーブ４２２の軸支部が嵌合する開口部４２１ｆが形成されている。
【００２８】
図中、Ｌ１は、接触部材４２１の筒状部４２１ａの内径を示し、Ｌ２は、同筒状部４２１ａの軸方向幅を示す。
【００２９】
図３（Ｂ）は、接触部材４２１に挿入される軸支スリーブ４２２の側面図である。
軸支スリーブ４２２は、接触部材の内壁面４２１ｃと接触する断面円形の軸方向接触部４２２ａと、軸支スリーブ４２２の軸方向に形成された軸支部４２２ｂとを有し、軸支部４２２ｂの内部に軸支棒（図示しない）を軸支する貫通孔４２２ｃが形成されている。
【００３０】
Ｌ３は、軸方向接触部４２２ａの直径を示す。接触部材の筒状部４２１ａの内径Ｌ１は、軸支スリーブ４２２の軸方向接触部４２２ａの直径Ｌ３よりも小さい。
Ｌ４は、軸方向接触部４２２ａの軸方向幅を示す。接触部材４２１の筒状部４２１ａの軸方向幅Ｌ２は、軸方向接触部４２２ａの軸方向幅Ｌ４よりも大きい。
【００３１】
そのため、図２（Ａ）に示したように、軸支スリーブ４２２を接触部材４２１の筒状部４２１ａの内部に挿入し、軸支スリーブ４２２の右側の軸支部４２２ｂを接触部材の底部４２１ｅに形成された開口部４２１ｆに略嵌合させた状態では、接触部材の開放端部４２１ｂは、軸支スリーブ４２２の外形と接触せずに、接触部材の筒状部４２１ａの内側に湾曲する（図２（Ａ）の矢印Ｘ）。
また、軸支スリーブの軸方向接触部４２２ａに、テーパ４２２ｄを形成すれば、軸支スリーブの開放端部４２１ｂが、接触部材の筒状部４２１ａの内側に湾曲しやすくなる。
【００３２】
図４は、接触部材の開放端部４２１ｂにバリＢが付着した状態の搬送ローラ４２を示した図である。
【００３３】
前述のように、軸支スリーブ４２２が接触部材の筒状部４２１ａの内部に挿入された状態では、接触部材の開放端部４２１ｂは、当該挿入により生じる反力により接触部材の筒状部４２１ａの内側に湾曲しているので、記録用紙ＰとバリＢが接触することがない。
【００３４】
図５は、他の軸支スリーブ４２３を示した図である。
軸支スリーブ４２３の軸方向接触部４２３ａの形状を略凸状に形成し、軸支スリーブ４２３の全体形状を略太鼓状にする。
このように、軸方向接触部４２３ａの形状が略凸状に形成されているので、接触部材４２１の開放端部４２１ｂが筒状部４２１ａの内側に湾曲しやすくなる。
【００３５】
なお、接触部材４２１はフッ素系樹脂、軸支スリーブ４２２はポリフェニレンスルファイド（ＰＰＳ）を原材料とすることが好ましい。
接触部材４２１は、図３（Ａ）に示したように、底部４２１ｅが形成された形状（有底形状）であるが、底部４２１ｅが形成されていなくてもよい。
【図面の簡単な説明】
【００３６】
【図１】本発明に係わる搬送ローラを備えた画像形成装置を説明するための図である。
【図２】本発明に係わる搬送ローラの断面図である。
【図３】接触部材、軸支スリーブの断面図である。
【図４】バリが付着した状態の搬送ローラを示した図である。
【図５】他の軸支スリーブを示した図である。
【図６】搬送ローラを説明するための図である。
【符号の説明】
【００３７】
１…画像形成装置、１００…駆動ローラ、１０１…搬送ローラ、１０１ａ…エッジ、１０２…支持軸、１０…原稿読み取り部、１１…プラテンガラス、１２…コピーランプユニット、１２ａ…コピーランプ、１３…第１ミラー、１４…第２ミラー、１５…光学レンズ、１６…ＣＣＤ、２０…給紙部、２１…給紙カセット、２２…給紙ローラ、３０…印刷部、３１…レジストローラ、３２…感光体ドラム、３３…ＬＳＵ、３４…帯電ユニット、３５…現像槽、３５ａ…ＭＧローラ、３６…転写ユニット、３７…クリーナーユニット、３７ａ…クリーニングブレード、３８…定着ユニット、３８ａ…上ヒートローラ、３８ｂ…下ヒートローラ、４０…搬送ユニット、４１…駆動ローラ、４２…搬送ローラ、４２１…接触部材、４２１ａ…筒状部、４２１ｂ…開放端部、４２１ｃ…内壁面、４２１ｄ…傾斜面、４２１ｅ…底部、４２１ｆ…開口部、４２２，４２３…軸支スリーブ、４２２ａ，４２３ａ…軸方向接触部、４２２ｂ…軸支部、４２２ｃ…貫通孔、４２２ｄ…テーパ、５１…排紙ローラ、５２…排紙トレイ、Ｂ…バリ、Ｌ１…接触部材の筒部の内径、Ｌ２…接触部材の筒部の軸方向幅、Ｌ３…軸支スリーブの軸方向接触部の直径、Ｌ４…軸支スリーブの軸方向接触部の軸方向幅。
【図１】
2009091145.tif 000003
【図２】
2009091145.tif 000004
【図３】
2009091145.tif 000005
【図４】
2009091145.tif 000006
【図５】
2009091145.tif 000007
【図６】
2009091145.tif 000008